(57)【要約】【課題】投写型画像表示装置を９０度回転して縦長投写を行う場合、上下方向のシフト量を大きくする。【解決手段】放電ランプ１０１からの光は、ロッドインテグレータ１０３を経て、２つの三角柱部分間に間隙を持って構成される全反射プリズム１１７に入射される。全反射プリズム１１７に入射された光はＤＭＤ１０８で変調され、全反射プリズム１１７を介して、この全反射プリズムに近接配置された投写レンズ１２６に入射される。投写レンズ１２６はＤＭＤ１０８の画像表示面に直交する光軸に平行に移動可能なレンズシフト機構１２７が設けられ、そのシフト量はＤＭＤ１０８の画像表示部の横長方向に於いて左右非対称な値となっている。【選択図】図１
2013257374.tif 000002
【特許請求の範囲】
【請求項１】
光源と、
外部からの入力信号により入射光を２次元的に配置された多数の反射素子を動作させることで入射光を変調する画像表示素子と、
前記光源からの光を導くリレー光学系と、
第１、第２の三角柱部分間に間隙を持って構成され、第１の三角柱部分は前記リレー光学系からの入射光を全反射して前記画像表示素子に導き、所望の制御をされた前記画像表示素子からの反射光を第１、第２の三角柱部分は透過する全反射プリズムと、
前記画像表示素子上の画像を拡大投写可能な投写レンズとからなり、
前記投写レンズを投写レンズ光軸を平行に維持しながら移動可能にすることで結像性能を維持しながら投写位置可変なシフト投写を備え、そのシフト量は前記画像表示素子の画像表示部の横長方向に於いて左右非対称な値であることを特徴とする投写型画像表示装置。
【請求項２】
前記シフト量は前記全反射プリズムから離れる方向について、値が大きいことを特徴とする請求項１記載の投写型画像表示装置。
【請求項３】
画像投写時には前記画像表示素子の画像表示部の横長方向が投写像の上下方向となる縦長投写が可能であることを特徴とする請求項１記載の投写型画像表示装置。
【請求項４】
前記縦長投写時には前記シフト量の大きい方向が装置設置位置から、被投写面であるスクリーン中心側であることを特徴とする請求項３記載の投写型画像表示装置。
【請求項５】
前記光源として固体光源を用いていることを特徴とする請求項１記載の投写型画像表示装置。
【請求項６】
前記固体光源はＬＥＤ光源であることを特徴とする請求項５記載の投写型画像表示装置。
【請求項７】
前記固体光源はレーザー光源であることを特徴とする請求項５記載の投写型画像表示装置。
【請求項８】
前記光源は前記縦長投写時に電極軸が重力方向と直交する方向となるよう配置された放電ランプであることを特徴とする請求項３記載の投写型画像表示装置。
【請求項９】
前記画像表示素子への入射光は正面から見て右斜め下方向から入射するとしたときに、投写レンズの移動量の大きい方向は同左方向であることを特徴とする請求項１記載の投写型画像表示装置。
【発明の詳細な説明】
【技術分野】
【０００１】
本発明は画像表示素子にＤＭＤ（Ｄｉｇｉｔａｌ  Ｍｉｃｒｏｍｉｒｒｏｒ  Ｄｅｖｉｃｅ：登録商標）を用い、その入出射光の分離に全反射プリズムを備え、画像表示素子の画像表示面に平行に投写レンズを移動せしめることで投写画像を移動可能にするシフト機能を備えた投写型画像表示装置に関するものである。特に、横長の長方形である前記画像表示素子（ＤＭＤ）の画像表示面を縦方向になるよう９０度装置の設置方向を変えて縦長の投写像を実現可能にする投写型画像表示装置に関するものである。
【背景技術】
【０００２】
従来画像表示素子にＤＭＤ（デジタル・マイクロミラー・デバイス）を用いる構成に於いては、ＤＭＤを照明した光が投写レンズの後玉（入射側レンズ）の近傍に瞳を構成する様に集光する後絞り構成、およびＤＭＤを照明する光は光主光線が光軸と平行なテレセントリック光学構成のものとがある。
【０００３】
前者は比較的小さな光学系を可能とするが投写画像の均一性に課題がある。後者は全体の系が大きくなるが投写画像の均一性に優れるため、前者は小型簡易型の投写型画像表示装置に用いられ、後者は高画質を求められるシステム投写型画像表示装置に採用されている。
【０００４】
後者のテレセントリック光学系を用いた構成では、ＤＭＤへの入射光と出射光とを光路を分離するために特許文献１に記載されたような全反射プリズム（ＴＩＲまたは内部全反射プリズムとも言う）を用いる。この全反射プリズムは２つの三角柱のプリズムが平行な間隙を持って接合されている。光源からの入射光は入射側プリズムに入射後に前記間隙の入射側面で全反射された後、入射側プリズムのＤＭＤの画像表示面と平行な関係にある面から出射しＤＭＤに入射する。
【０００５】
ＤＭＤの画像表示領域に配置されたＯＮ状態の微小ミラーに反射された光は前記全反射プリズムの入射側プリズムに略垂直に入射し、入射側プリズムの前記間隙を構成する面、前記間隙、出射側プリズムの前記間隙を構成する面、出射側プリズム、出射側プリズム投写側面を透過し投写レンズを経てスクリーンを照明することになる。
【０００６】
実際の製品では投写レンズ側からＤＭＤを見たときに、ＤＭＤへの入射光は右下斜め４５度方向から入射する様に設計されている。これはＤＭＤの微小ミラーの回転軸が４５度傾いて設けられていることに起因している。よって前述の入射光をＤＭＤに導く全反射プリズムも右下斜め方向に傾いて配置されている。
【０００７】
一方、投写レンズはバックフォーカスを短く設計した方がより小型化、低コスト化が可能となるため、投写レンズと前記全反射プリズムの出射側プリズム投写側面は干渉しない範囲で極力近接して構成されている。
【０００８】
以上のような構成によるＤＭＤを用いたシステム投写型画像表示装置として、投写レンズを平行に移動せしめることで、その投写画像を移動可能にする投写レンズシフト機構を備えてものがある。その移動量は投写レンズが性能保証できる像面（ＤＭＤ画像表示面）範囲を意味するイメージサークル内にＤＭＤ画像表示部が収まる領域である。そのためには動作を可能にする機構構造と、投写レンズが移動しても周囲と干渉の無いことが前提となる。
【０００９】
実際の製品では投写レンズの移動可能範囲は前記全反射プリズムの入射側プリズムとの干渉を避けるために、投写レンズ側からＤＭＤを見たときに右下方向で規制が発生し投写レンズシフト操作軸でいえば水平軸右方向、下方向で動作域が狭くなる。
【００１０】
実際の製品に於いては下方向のシフトについては、装置全体を上下反転して使用可能にすれば上下方向共にシフト可能となるため上方向のシフトのみとするか或いは下方向に比べて極めて少ない量のシフト量にしている。一方、水平方向は右方向シフト量が規制されるためイメージサークル内の余裕のある範囲での使用となっている。この際に左方向は全反射プリズムとの干渉は無いが、機構的に動作範囲が広くなると周辺部材が逃げる必要が有り装置が大きくなる、使用者に左右方向のシフト移動量非対称の説明がしにくい等の理由から一般的に右方向移動量と同じ量となっている。
【先行技術文献】
【特許文献】
【００１１】
【特許文献１】特開２０１２−２８７３号公報
【発明の概要】
【発明が解決しようとする課題】
【００１２】
近年、投写型画像表示装置の用途も多様化してきており、特に掲示板用途などにおいて、従来の投写方向を９０度ねじった配置となる縦長投写のニーズがある。これに対応すべくミラーを複数使って像をねじる、或いは投写型画像表示装置を９０度回転しては位置して投写するなどの対応がとられている。ただし、前者は装置全体が大きくなり、後者は投写型画像表示装置光源が一般的には放電ランプを用いているため放電電極軸が重力方向と平行に向いてしまい、光源寿命に支障を来たす。
【００１３】
これに対して、近年光源に姿勢差の影響を受けない固体光源を用いた商品が市場に提供されており、縦長投写に対する壁が取り払われつつある。
【００１４】
一方で前述の常設用途のシステム投写型画像表示装置ではレンズシフトが求められるも、従来の構成では投写レンズのイメージサークルがシフト移動量に対し余裕があってもシフト移動量を抑えていたため不便を強いられていた。
【００１５】
本開示は、かかる点に鑑み縦長投写時の可変シフト量を大きくすることが可能な投写型画像表示装置を提供することを目的とする。
【課題を解決するための手段】
【００１６】
本開示にかかる投写型画像表示装置は、光源と、外部からの入力信号により入射光を２次元的に配置された多数の反射素子を動作させることで入射光を変調する画像表示素子と、前記光源からの光を導くリレー光学系と、第１、第２の三角柱部分間に間隙を持って構成され、第１の三角柱部分は前記リレー光学系からの入射光を全反射して前記画像表示素子に導き、所望の制御をされた前記画像表示素子からの反射光を第１、第２の三角柱部分は透過する全反射プリズムと、前記画像表示素子上の画像を拡大投写可能な投写レンズとからなり、前記投写レンズを投写レンズ光軸を平行に維持しながら移動可能にすることで結像性能を維持しながら投写位置可変なシフト投写を備え、そのシフト量は前記画像表示素子の画像表示部の横長方向に於いて左右非対称な値であることを特徴とする。
【発明の効果】
【００１７】
本開示によれば、特に、ＤＭＤを用い、全反射プリズムを用いる高画質でありながら縦長投写可能な投写型画像表示装置に於いて、最小限の投資で可変シフト量を大きくすることを可能とする。これによりユーザー利便性を大幅に改善することを可能にする。
【図面の簡単な説明】
【００１８】
【図１】本発明の実施の形態１における光学機構、光源部の構成の側面図
【図２】全反射プリズムから投写レンズ間の構成を示す部分側面図
【図３】全反射プリズム拡大図
【図４】実施の形態１の正面図
【図５】図４の矢印Ａ方向から見た図
【図６】投写レンズシフト機構を備えた装置の構成図
【図７】実施の形態２の構成例を示す図
【図８】実施の形態３の構成例を示す図
【図９】天吊り形態で縦長投写をした場合の図
【発明を実施するための形態】
【００１９】
以下、実施の形態を、図面を参照しつつ詳細に説明する。
（実施の形態１）
図１は、本発明の実施の形態１における投写型画像表示装置１００の光学機構及び光源部の構成の側面図、図２はそのうちの全反射プリズムから投写レンズ間の構成を示す部分側面図、図３は全反射プリズム拡大図、図４は図１の正面図、図５は図４の矢印Ａ方向から見た図、図６は投写レンズシフト機構を備えた装置の構成図である。
【００２０】
光源１０１は例えば放電ランプであり、図示しない駆動装置により駆動せしめられ、白色光を発する。この光源からの白色光は光源１０１付近に第１焦点を持ち、光源１０１の電極軸延長上にその入射面１０２を位置するよう配置されたロッドインテグレータ１０３の前記入射面１０２付近に第２焦点を有する楕円面上に蒸着された反射層を備えたリフレクタ１０４により反射されて、ロッドインテグレータ１０３の入射面に集光される。
【００２１】
ロッドインテグレータ１０３内で反射を繰り返した光は出射面１０５とその近傍に配置されたカラーホイールユニット１０６の色選択フィルター１０７を透過する。
【００２２】
色選択フィルター１０７は高速回転するモーターに扇状の任意の色を選択、他の色を反射する複数の異なるダイクロイックフィルターからなっており、カラーフィルターを透過する色光の種類、切り替えタイミングは図示しない制御回路によって画像表示素子であるＤＭＤ１０８の制御と連動するように駆動されている。
【００２３】
色選択フィルター１０７を透過した色光はリレー光学系１０９に入射する。リレー光学系１０９は複数のレンズと２枚の折り返しミラーにより構成される。集光レンズ１１０に入射した光は、集光レンズ１１１および１１２を経た後、折り返しミラー１１３で反射され、集光レンズ１１４を透過、折り返しミラー１１５で反射された後に集光レンズ１１６で導かれた光は全反射プリズム１１７に入射する。
【００２４】
全反射プリズム１１７は図３にあるように三角柱形状の第１のプリズム１１８と、台形の断面を持つ第２のプリズム１１９の三角柱部分の間にビーズ入り接着剤１２０ａ，１２０ｂ，１２０ｃ，１２０ｄが施されており、わずかな空気間隔を形成して組み合わされて成る。第１のプリズム１１８の面１２１に入射した光は面１２２に至るもその入射角は臨界角を越えるように設定されているので、面１２２で全反射された光は面１２３を透過してＤＭＤ１０８に入射する。
【００２５】
ＤＭＤ１０８は多数の微小ミラー（反射素子）を２次元状に配置してなっており、図示しない制御回路からの入力信号により、その傾きを２つの傾き角で変更することによって、入射光を変調することができる。第１の傾き角（＝入射光方向に傾いた場合）に入射した光はＤＭＤ１０８に対して正面方向に出射されるように構成されている。この際には第１のプリズム１１８の面１２３に入射したＤＭＤからの光は面１２２を透過し、空気層を経て第２のプリズム１１９の面１２４に入射後、面１２５を経て投写レンズ１２６に入射することで、図示しないスクリーンにＤＭＤ１０８の画像表示部であるミラー面（画像表示面）の画像を拡大投写することが出来る。この投写レンズ１２６は大型化すると価格が飛躍的に上がるため、全反射プリズム１１７との間隔はバラツキを加味した中でも干渉しない（相互に接触しない）範囲で極力近づける構成となっている。
【００２６】
ＤＭＤ１０８の微小ミラーの第２の傾き角（＝入射光方向と反対側に傾いた場合）に入射した光はＤＭＤ１０８に対し大きな角度をもって光を出射させる。このとき光は同様に全反射プリズム１１７を透過、出射される。この時の光は投写レンズ１２６の入射側レンズに入射しない様に設定されていることから、第２の傾き角の状態のミラー部は投写レンズ１２６によってスクリーン上に形成される画像において任意の色について黒の表示となる。
【００２７】
ちなみに、このように全反射プリズム１１７を用いる光学系においては、全反射を用いるため面に入射する角度が光束の部分によって差が出ないよう主光線が平行なテレセントリック光学系となっている。
【００２８】
前記投写レンズは像面（ＤＭＤ１０８の微小ミラー面相当）において性能保証できる範囲を示すイメージサークルはＤＭＤ１０８の微小ミラー面の範囲よりも大きな範囲となっている。これにより投写レンズ１２６をＤＭＤ１０８の微小ミラー面範囲である画像表示域の中心からずれた位置に配置しても投写可能であることを意味する。これを利用して投写レンズ１２６を移動させることでスクリーン上の投写画像位置を変えることが出来る。これをレンズシフト機能として備えて構成できる。
【００２９】
図６は投写レンズ１２６を平行に、しかもＤＭＤ１０８の微小ミラー面との光軸方向の距離を変えずに移動可能なシフト機構１２７を備えた構成を示している。シフト機構１２７は図示しない投写型画像表示装置のセット筐体に固定されており、操作レバー１２８を動かすことでシフト機構１２７に乗った投写レンズ１２６は移動可能となっている。
【００３０】
その移動量を決定するのは以下の３つの要因が大きい。
１．投写レンズ１２６のイメージサークルにＤＭＤの画像表示部が内包されている。
２．シフト機構１２７の動作範囲が足りている。
３．投写レンズ１２６が移動したときに周囲の部材に干渉しない。
【００３１】
多くの場合その制約となるのは３番目の要因である。具体的には投写レンズ１２６と全反射プリズム１１７の間が狭くなるので、ここでの干渉を避けるためシフト移動量は制約されることになる。
【００３２】
ちなみにこの実施の形態では図５において２．５ｍｍで示しているのがその間隔であり、投写レンズ１２６のバックフォーカスのバラツキや、レンズ移動を規制する部分の位置のバラツキを考慮すると１．５ｍｍ程度になる。全反射プリズム１１７は正面図から分かるように斜めに配置されることから、斜め下方向の動作域が制限されていることを示す。現在市場に提供されている商品では正面図において上方向シフト量は大きく、左右方向は全反射プリズム１１７との干渉を避ける範囲で、全反射プリズム１１７と反対側へのシフト量も同量としている。全反射プリズム１１７と反対側への移動量を制限する理由は、ユーザーに何故そのようになっているのかを説明しにくいこと、およびシフト機構が、そのシフト量が減った分だけ小型化できることによる。
【００３３】
尚、上記のシフト量は全反射プリズムから離れる方向について、値が大きくなる。
【００３４】
一方で、放電ランプでは光源電極軸が重力方向にある場合、電極温度や管内温度が偏り信頼性に問題があり、投写画像の方向を通常の横長を９０度回転して縦長投写にする事が出来なかった。
【００３５】
本実施の形態では、光源電極軸が投写レンズ１２６の光軸と平行となっているため装置全体を９０度回転しても電極軸が重力方向になることはないので縦長投写を行うことが出来る。図９は画像投写時において、天吊り金具１５０を使用して、ＤＭＤの画像表示部の横長方法が投写像の上下方向となる縦型に投写できるように投写型画像表示装置１００を取り付けた状態を示している。
【００３６】
この縦長投写時には横長投写時の水平方向へのシフトが、上下方向のシフトとなるため従来の設計に依れば設置した位置からスクリーン中心方向への可動量が小さく、使用者に不便を強いることとなっていた。
【００３７】
本実施の形態では、縦長投写時には前記シフト量の大きい方向が装置設置位置から、被投写面であるスクリーン中心側であるので、利用者の利便性を格段に向上させることができる。
【００３８】
本実施の形態では全反射プリズム１１７と反対側への移動量については、シフト機構の動作域を投写レンズ１２６のイメージサークルに前記画像表示域が内接する範囲或いはその近傍まで拡大し、移動量が増えても干渉しないように図示しない周囲の構成部材を配置しないようにすることで、図４の正面図で言うと横長投写時の左方向について動作範囲を拡大している。
【００３９】
特に装置を９０回転して配置して配置する場合、上下方向の移動量を増えたことを意味する。時にその移動量が増えた方向は、装置を床置きとした場合は上方向、天吊り形態では下方向に設定されるように装置を回転させて用いることで、利便性を向上することが出来る。この時、シフト機構が多少大きくなる、動作域が増えた方向において周囲と干渉を避けるために周辺部材を逃がす必要があるがコストや商品性に影響するような変更無く実現することが出来る。
【００４０】
以上のように本実施の形態では、放電ランプと、外部からの入力信号により入射光を２次元的に配置された多数の反射素子を動作させることで入射光を変調する画像表示素子であるＤＭＤと、放電ランプからの光を導くリレー光学系を備える。また、実施の形態では全反射プリズムを有し、これは第１、第２の三角柱部分間に間隙を持って構成され、第１の三角柱部分は前記リレー光学系からの入射光を全反射してＤＭＤに導き、所望の制御をされた前記画像表示素子からの反射光を第１、第２の三角柱部分は透過する。さらに実施の形態では前記ＤＭＤ上の画像を拡大投写可能な投写レンズと備えている。そして、投写レンズを投写レンズ光軸を平行に維持しながら移動可能にすることで結像性能を維持しながら投写位置可変なシフト投写を備え、そのシフト量は前記画像表示素子の画像表示部の横長方向に於いて基準位置を中心にして左右非対称な値となっている。
【００４１】
このようにすることにより、縦長投写する場合における、上下のシフト量を大きくすることができる。
（実施の形態２）
本実施の形態では放電ランプの電極軸を投写レンズの光軸と平行として縦長投写を得るため、装置を回転しても信頼性に問題ないとしたが、実施の形態２では姿勢差に影響されない固体光源であるＬＥＤを用いている。
【００４２】
図７は、ＬＥＤを光源とした投写型画像表示装置１２９の実施の形態であり、光源部はＬＥＤ用集光レンズ１３１、１３３、１３５、１３８と赤ＬＥＤ１３０、緑ＬＥＤ１３４、青ＬＥＤ１３７、赤透過ダイクロイックミラー１３２、緑反射ダイクロイックミラー１３６から構成される。
【００４３】
青ＬＥＤからの青色光はＬＥＤ用集光レンズ１３８を通過後、緑反射ダイクロイックミラー１３６を通過し、赤透過ダイクロイックミラー１３２で反射されＬＥＤ用集光レンズ１３３に入射する。緑ＬＥＤ１３４からの緑色光はＬＥＤ用集光レンズ１３５を通過して緑反射ダイクロイックミラー１３６で反射され、赤透過ダイクロイックミラー１３２で反射されてＬＥＤ用集光レンズ１３３に入射する。赤ＬＥＤ１３０からの色光はＬＥＤ用集光レンズ１３１を通過後、赤透過ダイクロイックミラー１３２を通過し、ＬＥＤ用集光レンズ１３３に入射する。このようにして、青色光、緑色光、赤色光はＬＥＤ用集光レンズ１３３に入射後、ロッドインテグレータ１０３の入射面１０２に入射するように集光される。
【００４４】
ＬＥＤを用いた光源以外の投写型画像表示装置１２９の構成については、実施の形態１と同様であるので、その説明は省略する。
【００４５】
このようにＬＥＤを光源として用いた場合、配置の方向を考慮することなく、縦置き等の配置が自由にでき、縦置き時にシフト量を大きくとれる場合に有効である。
（実施の形態３）
図８は、レーザーを光源とした投写型画像表示装置１３９の実施の形態であり、光源部は、青色レーザー１４０、コリメートレンズ１４１、赤反射ダイクロイックミラー１４２、１４７、コンデンサーレンズ１４３、１４５、ミラー１４６、１４９、赤反射蛍光、緑透過蛍光、青透過蛍光体ホイール１４４とから構成される。
【００４６】
青色レーザー１４０からの青色光はコリメートレンズ１４１、赤反射ダイクロイックミラー１４２、赤反射蛍光、緑透過蛍光、青透過蛍光体ホイール１４４、コンデンサーレンズ１４５、ミラー１４６、赤反射ダイクロイックミラー１４７の経路で集光レンズ１４８に入射する。
【００４７】
青色レーザー１４０からの光はまた、蛍光体ホイール１４４の赤色蛍光体を励起し、その蛍光体から発光した赤色光が蛍光体ホイール１４４の蛍光体層の反対面に施された反射膜によって反射されコンデンサーレンズ１４３、赤反射ダイクロイックミラー１４２、ミラー１４９、赤反射ダイクロイックミラー１４７の経路で集光レンズ１４８に入射される。
【００４８】
青色レーザー１４０からの光はまた、赤反射蛍光、緑透過蛍光、青透過蛍光体ホイール１４４の光入射側と反対側に施された緑色蛍光体を励起し、その蛍光体から発光した緑色光がコンデンサーレンズ１４５、ミラー１４６、赤反射ダイクロイックミラー１４７の経路で集光レンズ１４８に入射する。
【００４９】
集光レンズ１４８に入射された青色光、赤色光、および緑色光は、集光されてロッドインテグレータ１０３の入射面１０２に入射される。
【００５０】
レーザーを用いた光源以外の投写型画像表示装置１２９の構成については、実施の形態１と同様であるので、その説明は省略する。
【００５１】
このようにレーザーを光源として用いた場合、配置の方向を考慮することなく、縦置き等の配置が自由にでき、縦置き時にシフト量を大きくとれる場合に有効である。
【００５２】
尚、実施の形態３において、青色レーザーのみを使用しているが、他の色のＬＥＤを併せ持つことにより同様の構成ができることは言うまでもない。
【００５３】
また、上記各実施の形態において、ＤＭＤを赤緑青の各色光別に備える３チップ方式でも全反射プリズムを用いて、かつバックフォーカスが短い装置の場合同様のことが言えることは明らかである。
【産業上の利用可能性】
【００５４】
本開示は、全反射プリズムおよび変調素子としてＤＭＤを使用したレンズシフト機構を備える投写型画像表示装置に使用できる。
【符号の説明】
【００５５】
１００  投写型画像表示装置
１０１  光源（放電ランプ）
１０２  入射面
１０３  ロッドインテグレータ
１０４  リフレクタ
１０５  出射面
１０６  カラーホイールユニット
１０７  色選択フィルター
１０８  ＤＭＤ（デジタルミラーデバイス）
１０９  リレー光学系
１１０、１１１、１１２、１１４、１１６、１４８  集光レンズ
１１３、１１５  折り返しミラー
１１７  全反射プリズム
１１８  第１のプリズム
１１９  第２のプリズム
１２０ａ、１２０ｂ、１２０ｃ、１２０ｄ  ビーズ入り接着剤
１２１、１２２、１２３  第１のプリズムの面
１２４、１２５  第２のプリズムの面
１２６  投写レンズ
１２７  シフト機構
１２８  操作レバー
１２９  投写型画像表示装置
１３０  赤ＬＥＤ
１３１、１３３，１３５，１３８  ＬＥＤ用集光レンズ
１３２  赤透過ダイクロイックミラー
１３４  緑ＬＥＤ
１３６  緑反射ダイクロイックミラー
１３７  青ＬＥＤ
１３９  投写型画像表示装置
１４０  青色レーザー
１４１  コリメートレンズ
１４２、１４７  赤反射ダイクロイックミラー
１４３、１４５  コンデンサーレンズ
１４６、１４９  ミラー
１４４  赤反射蛍光、緑透過蛍光、青透過蛍光体ホイール
１５０  天吊り金具
【図１】
2013257374.tif 000003
【図２】
2013257374.tif 000004
【図３】
2013257374.tif 000005
【図４】
2013257374.tif 000006
【図５】
2013257374.tif 000007
【図６】
2013257374.tif 000008
【図７】
2013257374.tif 000009
【図８】
2013257374.tif 000010
【図９】
2013257374.tif 000011